(57)【要約】【課題】製造コストが著しく増大する事態を招来することなく店舗の様々な要求に応じて棒状硬貨を収納すること。【解決手段】装置本体１１に対して引き出し可能に配設した収納箱１２と、収納箱１２の上面に設けられ、同一金種の硬貨を複数枚積層した状態で包装して成る棒状硬貨を個別に収納する収納溝を有した収納トレイ６０とを備え、装置本体１１から収納箱１２を引き出すことによりそれぞれの収納溝に収納された棒状硬貨が取り出し可能となる硬貨収納装置において、収納トレイ６０を複数のトレイユニットの組み合わせによって構成するとともに、個々のトレイユニットを収納箱１２に対して着脱可能に配設し、さらにトレイユニットが１系硬貨収納溝６１１Ａと５系硬貨収納溝６１２Ａとを有した混合棒金用トレイユニット６１０Ａを含むように構成した。【選択図】図８
2014178747.tif 000002
【特許請求の範囲】
【請求項１】
装置本体に対して引き出し可能に配設した収納箱と、前記収納箱の上面に設けられ、同一金種の硬貨を複数枚積層した状態で包装して成る棒状硬貨を個別に収納する収納溝を有した収納トレイとを備え、前記装置本体から前記収納箱を引き出すことによりそれぞれの収納溝に収納された棒状硬貨が取り出し可能となる硬貨収納装置において、
前記収納トレイを複数のトレイユニットの組み合わせによって構成するとともに、個々のトレイユニットを前記収納箱に対して着脱可能に配設し、さらに前記トレイユニットは、１０枚で１桁繰り上がる１系硬貨を積層した棒状硬貨を収納するための１系硬貨収納溝と、前記１系硬貨と同じ桁の硬貨であって２枚で１桁繰り上がる５系硬貨を積層した棒状硬貨を収納するための５系硬貨収納溝とを有した混合棒金用トレイユニットを含むことを特徴とする硬貨収納装置。
【請求項２】
前記混合棒金用トレイユニットには、５系硬貨収納溝よりも多い数の１系硬貨収納溝を設けたことを特徴とする請求項１に記載の硬貨収納装置。
【請求項３】
前記混合棒金用トレイユニットのそれぞれには、１つの５系硬貨収納溝と４つの１系硬貨収納溝とを並べて設けたことを特徴とする請求項１に記載の硬貨収納装置。
【請求項４】
前記トレイユニットは、積層した硬貨の桁が互いに異なる棒状硬貨をそれぞれ収納するための収納溝を並べて設けた繰上棒金用トレイユニットを含むことを特徴とする請求項１に記載の硬貨収納装置。
【請求項５】
前記収納トレイは、互いに合同となる長方形の平面視を有するように構成した複数のトレイユニットを備えることを特徴とする請求項１に記載の硬貨収納装置。
【請求項６】
前記収納トレイは、互いに合同となる正方形の平面視を有するように構成した複数のトレイユニットを備えることを特徴とする請求項５に記載の硬貨収納装置。
【請求項７】
前記収納トレイは、平面視の縦横寸法が最小となる基準トレイユニットと、平面視の縦横寸法がそれぞれ前記基準トレイユニットの整数倍となるように構成した倍数トレイユニットとを備えることを特徴とする請求項１に記載の硬貨収納装置。
【請求項８】
前記倍数トレイユニットは、紙葉を収納するための紙葉収納凹部を有することを特徴とする請求項７に記載の硬貨収納装置。
【発明の詳細な説明】
【技術分野】
【０００１】
本発明は、予め設定した複数枚の硬貨を積層した状態で包装した棒状硬貨を収納する硬貨収納装置に関する。
【背景技術】
【０００２】
スーパーマーケットやコンビニエンスストア等の店舗で用いられるレジスタには、釣銭機と称される貨幣処理装置が接続されている。貨幣処理装置は、貨幣が投入された場合にこれを識別して収納する一方、レジスタから出金指令が与えられた場合には該当する金額の貨幣を払い出すようにしたものである。
【０００３】
この種の貨幣処理装置の中には、硬貨収納装置をさらに付設したものがある。硬貨収納装置には、予め設定した複数枚の硬貨を積層した状態で包装した棒状硬貨を収納されている。貨幣処理装置において出金する硬貨が足りなくなった場合には、硬貨収納装置から足りなくなった硬貨と同一種類の棒状硬貨が取り出され、貨幣処理装置に補充される。
【０００４】
硬貨収納装置の構成としては、装置本体に対して引き出し可能に配設された収納箱とを備えたものが一般的である。収納箱の上面には、棒状硬貨を収納する収納トレイが取り付けてある。収納トレイは、予め定めた種類の棒状硬貨を予め定めた位置に収納するためのもので、予め定めた種類の棒状硬貨を収納する収納溝が予め定めた位置に設けられている。それぞれの収納溝は、収納する棒状硬貨の種類ごとに異なっており、対象となる棒状硬貨を横倒しの姿勢で収納できるように個々の外径及び積層数に応じて形成されている（例えば、特許文献１参照）。
【先行技術文献】
【特許文献】
【０００５】
【特許文献１】特開２０１１−１８２３１号公報
【発明の概要】
【発明が解決しようとする課題】
【０００６】
ところで、販売する商品の価格は店舗によって様々であり、必要となる釣銭硬貨の種類も店舗によって異なる場合が多い。例えば、商品の価格が１円単位で設定された店舗では、釣銭も１円単位となるため、１円硬貨や５円硬貨を含めたすべての種類の硬貨を用意しておく必要がある。これに対して商品の価格が１０円単位で設定された店舗では、客から受け取る金種が１円硬貨や５円硬貨の場合はあるが、釣銭が１０円を下回ることはないため、１円硬貨や５円硬貨を釣銭として用意する必要はない。
【０００７】
これらすべての店舗に対応できるように硬貨収納装置を構成するには、すべての種類の棒状硬貨を収納できるように収納溝が設けられていなければならない。しかしながら、１０円単位で商品の価格が設定された店舗にあっては、上述したように釣銭硬貨として１円硬貨及び５円硬貨が必要ないため、これらの棒状硬貨を収納する収納溝がデッドスペースとなり、釣銭硬貨として必要な１０円以上の棒状硬貨の収納数が制限される等、使い勝手の点で必ずしも好ましいとはいえない。尚、店舗ごとの要求に応じて硬貨収納装置を構成すれば、もちろん上述の問題を招来することはないが、製造コストの点を考慮すれば現実的でないのは明らかである。
【０００８】
本発明は、上記実情に鑑みて、製造コストが著しく増大する事態を招来することなく店舗の様々な要求に応じて棒状硬貨を収納することのできる硬貨収納装置を提供することを目的とする。
【課題を解決するための手段】
【０００９】
上記目的を達成するため、本発明に係る硬貨収納装置は、装置本体に対して引き出し可能に配設した収納箱と、前記収納箱の上面に設けられ、同一金種の硬貨を複数枚積層した状態で包装して成る棒状硬貨を個別に収納する収納溝を有した収納トレイとを備え、前記装置本体から前記収納箱を引き出すことによりそれぞれの収納溝に収納された棒状硬貨が取り出し可能となる硬貨収納装置において、前記収納トレイを複数のトレイユニットの組み合わせによって構成するとともに、個々のトレイユニットを前記収納箱に対して着脱可能に配設し、さらに前記トレイユニットは、１０枚で１桁繰り上がる１系硬貨を積層した棒状硬貨を収納するための１系硬貨収納溝と、前記１系硬貨と同じ桁の硬貨であって２枚で１桁繰り上がる５系硬貨を積層した棒状硬貨を収納するための５系硬貨収納溝とを有した混合棒金用トレイユニットを含むことを特徴とする。
【００１０】
また、本発明は、上述した硬貨収納装置において、前記混合棒金用トレイユニットには、５系硬貨収納溝よりも多い数の１系硬貨収納溝を設けたことを特徴とする。
【００１１】
また、本発明は、上述した硬貨収納装置において、前記混合棒金用トレイユニットのそれぞれには、１つの５系硬貨収納溝と４つの１系硬貨収納溝とを並べて設けたことを特徴とする。
【００１２】
また、本発明は、上述した硬貨収納装置において、前記トレイユニットは、積層した硬貨の桁が互いに異なる棒状硬貨をそれぞれ収納するための収納溝を並べて設けた繰上棒金用トレイユニットを含むことを特徴とする。
【００１３】
また、本発明は、上述した硬貨収納装置において、前記収納トレイは、互いに合同となる長方形の平面視を有するように構成した複数のトレイユニットを備えることを特徴とする。
【００１４】
また、本発明は、上述した硬貨収納装置において、前記収納トレイは、互いに合同となる正方形の平面視を有するように構成した複数のトレイユニットを備えることを特徴とする。
【００１５】
また、本発明は、上述した硬貨収納装置において、前記収納トレイは、平面視の縦横寸法が最小となる基準トレイユニットと、平面視の縦横寸法がそれぞれ前記基準トレイユニットの整数倍となるように構成した倍数トレイユニットとを備えることを特徴とする。
【００１６】
また、本発明は、上述した硬貨収納装置において、前記倍数トレイユニットは、紙葉を収納するための紙葉収納凹部を有することを特徴とする。
【発明の効果】
【００１７】
本発明によれば、収納トレイを複数のトレイユニットの組み合わせによって構成するとともに、個々のトレイユニットを収納箱に対して着脱可能に配設しているため、トレイユニットの種類を適宜交換することで、製造コストが著しく増大する事態を招来することなく店舗の様々な要求に応じて棒状硬貨を収納することが可能となる。しかも、同じ桁の棒状硬貨を収納する１系硬貨収納溝と５系硬貨収納溝とを有した混合棒金用トレイユニットを含むように収納トレイを構成しているため、効率良く釣銭を準備することができるようになる。
【図面の簡単な説明】
【００１８】
【図１】図１は、本発明の実施の形態である硬貨収納装置の外観斜視図である。
【図２】図２は、図１に示した硬貨収納装置において装置本体から収納箱を引き出した状態の斜視図である。
【図３】図３は、図１に示した硬貨収納装置の使用形態を例示したもので、上面に釣銭機を搭載し、収納箱を装置本体から引き出した状態の斜視図である。
【図４】図４は、図１に示した硬貨収納装置の内部構造を模式的に示したもので、（ａ）は収納箱が装置本体に収められた状態の平面断面図、（ｂ）は収納箱が装置本体から飛び出した状態の平面断面図である。
【図５】図５は、図１に示した硬貨収納装置の収納トレイを構成するトレイユニットを示したものである。
【図６】図６は、図１に示した硬貨収納装置の収納トレイを構成するトレイユニットを示したもので、（ａ）は混合棒金用トレイユニットの斜視図、（ｂ）は繰上棒金用トレイユニットの斜視図である。
【図７】図７は、図１に示した硬貨収納装置の要部を示したもので、（ａ）はトレイユニットを連結する以前の状態を示す側面図、（ｂ）は隣設するトレイユニットとの間を連結して構成した収納トレイを収納箱に設置する以前の状態を示す断面側面図である。
【図８】図８は、図１に示した硬貨収納装置に適用する収納トレイを示したもので、（ａ）は第１の構成例を示した平面図、（ｂ）は第２の構成例を示した平面図である。
【図９】図９は、図１に示した硬貨収納装置に適用する収納トレイを示したもので、（ａ）は第３の構成例を示した平面図、（ｂ）は第４の構成例を示した平面図である。
【図１０】図１０は、図１に示した硬貨収納装置に適用する収納トレイの変形例を示す平面図である。
【発明を実施するための形態】
【００１９】
以下、添付図面を参照しながら本発明に係る硬貨収納装置の好適な実施の形態について詳細に説明する。
【００２０】
図１及び図２は、本発明の実施の形態である硬貨収納装置を示したものである。ここで例示する硬貨収納装置１０は、図３に示すように、上面に釣銭機１を搭載した形態で使用し、この釣銭機１に補充する硬貨を準備金として収納しておくためのものである。硬貨収納装置１０が収納対象とする硬貨は、１枚１枚が個別となった硬貨の他、棒状硬貨と称される形態のものである。棒状硬貨は、同一金種のものを予め設定した枚数だけ積層して包装し、一つの取扱単位として構成したものである。本実施の形態では、図２に示すように、１円硬貨、５円硬貨、１０円硬貨、５０円硬貨、１００円硬貨、５００円硬貨をそれぞれ所定の枚数ずつ包装した６種類の棒状硬貨ＢＣ１，ＢＣ５，ＢＣ１０，ＢＣ５０，ＢＣ１００，ＢＣ５００を硬貨収納装置１０の収納対象としている。
【００２１】
図１〜図３に示すように、硬貨収納装置１０は、装置本体１１及び収納箱１２を備えて構成してある。装置本体１１は、例えば釣銭機１を搭載することのできる大きさを有した薄型の箱体であり、前面にのみ開口を有している。収納箱１２は、装置本体１１の内部に収容可能となる大きさを有し、上面が開口した箱状を成すものである。尚、本実施の形態では便宜上、図４の（ａ）に示すように、収納箱１２が平面視で（３×ｍ）となる左右幅方向寸法を有し、かつ（３×ｎ）の奥行き寸法を有した長方形の例を示している。但し、ｍ，ｎはいずれも任意の正数とする。
【００２２】
この収納箱１２は、装置本体１１との間に介在させた図示せぬスライド機構を介してスライド可能に支持させてあり、図１及び図４の（ａ）に示すように、装置本体１１の内部に収めた状態と、図２及び図４の（ｂ）に示すように、前面開口１１ａから装置本体１１の手前側に引き出した状態との間を移動することが可能である。収納箱１２を装置本体１１の内部に収めた場合には、図１及び図４の（ａ）に示すように、収納箱１２の前面に設けた前面プレート１２ａによって装置本体１１の前面開口１１ａが覆われることになる。収納箱１２を装置本体１１から引き出した場合には、図２及び図４の（ｂ）に示すように、収納箱１２の上面が装置本体１１の外部に開放された状態となる。これら装置本体１１と収納箱１２との間には、図４に示すように、第１ロック機構２０、第２ロック機構３０及び緩衝機構４０が設けてある。
【００２３】
第１ロック機構２０は、釣銭機１やＰＯＳレジスタ（図示せず）等の上位機器から与えられた制御信号に応じて動作し、装置本体１１に対する収納箱１２の引き出し方向への移動を制御するものである。第１ロック機構２０としては、例えば、図４に示すように、収納箱１２の後壁に設けた係合ロッド２１と、装置本体１１の内部に設けたフック部材２２と、フック部材２２を動作させるための電磁ソレノイド２３とを備えて構成することができる。この第１ロック機構２０では、図４の（ａ）に示すように、収納箱１２を装置本体１１の内部に収めた状態で電磁ソレノイド２３の駆動によりフック部材２２が係合ロッド２１に係合されると、装置本体１１に対する収納箱１２の引き出し方向の移動が制限される。図４の（ｂ）に示すように、電磁ソレノイド２３を逆方向に駆動してフック部材２２と係合ロッド２１との係合状態を解除すれば、装置本体１１に対して収納箱１２を引き出すことが可能となる。
【００２４】
第２ロック機構３０は、図２に示すように、収納箱１２の前面プレート１２ａに設けた鍵穴３１に鍵３２を挿入して施解錠操作することにより、装置本体１１に対する収納箱１２の引き出し方向への移動を制御するものである。第２ロック機構３０が施錠操作された状態においては、第１ロック機構２０が収納箱１２の引き出しを許容する状態となっている場合であっても、装置本体１１に対する収納箱１２の引き出し方向への移動が阻止されることになる。
【００２５】
緩衝機構４０は、装置本体１１と収納箱１２との間に介在し、収納箱１２を装置本体１１の内部に収める際の衝撃を緩和するものである。また、この緩衝機構４０は、第２ロック機構３０が解錠状態であって第１ロック機構２０が収納箱１２の引き出し方向への移動を許容する状態に切り換わった際に収納箱１２を引き出し方向へ押し出す機能を兼ねている。緩衝機構４０としては、例えば、図４に示すように、装置本体１１に受部４１を設ける一方、収納箱１２の後壁にダンパ４２及びバネ４３を配設することによって構成することができる。この緩衝機構４０では、収納箱１２を装置本体１１の内部に収めた場合に装置本体１１の受部４１にダンパ４２及びバネ４３が当接することで衝撃が緩和されることになる。収納箱１２が装置本体１１の内部に収められた状態では、図４の（ａ）に示すように、バネ４３が撓んだ状態となる。この状態から第１ロック機構２０及び第２ロック機構３０がいずれも収納箱１２の引き出しを許容する状態となると、図４の（ｂ）に示すように、バネ４３の復元力で収納箱１２が前方に押し出されるようになる。
【００２６】
図２〜図４に示すように、収納箱１２には、制御ボックス５０及び収納トレイ６０が設けてある。制御ボックス５０は、図には明示していないが、その内部に硬貨収納装置１０を制御する主制御ユニットを収容するためのもので、収納箱１２の左奥方となる位置に配設してある。この制御ボックス５０は、平面視において左右幅方向寸法がｍ、奥行き寸法がｎとなる長方形状に形成してある。収納トレイ６０は、複数のトレイユニット６１０，６２０，６３０，６４０を組み合わせることにより、収納箱１２の上面において制御ボックス５０を除く全面を覆うように構成したものである。収納トレイ６０を構成するトレイユニット６１０，６２０，６３０，６４０は、図５に示すように、混合棒金用トレイユニット６１０、繰上棒金用トレイユニット６２０、バラ硬貨用トレイユニット６３０、汎用収納トレイユニット６４０を含むように構成してある。
【００２７】
混合棒金用トレイユニット６１０、繰上棒金用トレイユニット６２０、バラ硬貨用トレイユニット６３０は、平面視において左右幅方向寸法がｍ、奥行き寸法がｎの長方形となるように構成したものである。汎用収納トレイユニット６４０は、平面視において左右幅方向寸法が（２×ｍ）、奥行き寸法がｎの長方形となるように構成したものである。
【００２８】
混合棒金用トレイユニット６１０は、１系硬貨を積層した棒状硬貨ＢＣ１，ＢＣ１０，ＢＣ１００と、１系硬貨と同じ桁の５系硬貨を積層した棒状硬貨ＢＣ５，ＢＣ５０，ＢＣ５００とをまとめて収納するためのものである。ここで、１系硬貨とは、１０枚で合計金額が１桁繰り上がる１円硬貨、１０円硬貨、１００円硬貨を総称するものとして定義し、５系硬貨とは、２枚で合計金額が１桁繰り上がる５円硬貨、５０円硬貨、５００円硬貨を総称するものとして定義する。つまり、混合棒金用トレイユニット６１０としては、図５の（ａ）に示すように、１円の棒状硬貨ＢＣ１と５円の棒状硬貨ＢＣ５とをまとめて収納する１桁硬貨に対応したもの（６１０Ａ）、図５の（ｂ）に示すように、１０円の棒状硬貨ＢＣ１０と５０円の棒状硬貨ＢＣ５０とをまとめて収納する２桁硬貨に対応したもの（６１０Ｂ）、図５の（ｃ）に示すように、１００円の棒状硬貨ＢＣ１００と５００円の棒状硬貨ＢＣ５００とをまとめて収納する３桁硬貨に対応したもの（６１０Ｃ）の合計３種類が用意してある。１桁硬貨混合棒金用トレイユニット６１０Ａには、４つの１系硬貨収納溝６１１Ａと１つの５系硬貨収納溝６１２Ａとが設けてあり、２桁硬貨混合棒金用トレイユニット６１０Ｂには、４つの１系硬貨収納溝６１１Ｂと１つの５系硬貨収納溝６１２Ｂとが設けてあり、３桁硬貨混合棒金用トレイユニット６１０Ｃには、４つの１系硬貨収納溝６１１Ｃと１つの５系硬貨収納溝６１２Ｃとが設けてある。個々の収納溝６１１Ａ，６１１Ｂ，６１１Ｃ，６１２Ａ，６１２Ｂ，６１２Ｃは、収納対象となる棒状硬貨ＢＣ１，ＢＣ１０，ＢＣ１００，ＢＣ５，ＢＣ５０，ＢＣ５００を収納することのできる大きさに形成した半円柱状の凹部であり、混合棒金用トレイユニット６１０Ａ，６１０Ｂ，６１０Ｃの奥行き方向に沿って互いにほぼ平行となるように配置してある。
【００２９】
繰上棒金用トレイユニット６２０は、互いに桁数が異なる硬貨を積層した棒状硬貨ＢＣ１，ＢＣ５，ＢＣ１０，ＢＣ５０，ＢＣ１００，ＢＣ５００をまとめて収納するためのもので、図５の（ｄ）に示すように、１円の棒状硬貨ＢＣ１と１０円の棒状硬貨ＢＣ１０と１００円の棒状硬貨ＢＣ１００とをまとめて収納する１系硬貨に対応したもの（６２０Ａ）、図５の（ｅ）に示すように、５円の棒状硬貨ＢＣ５と５０円の棒状硬貨ＢＣ５０と５００円の棒状硬貨ＢＣ５００とをまとめて収納する５系硬貨に対応したもの（６２０Ｂ）の合計２種類が用意してある。１系硬貨繰上棒金用トレイユニット６２０Ａには、３種類の棒状硬貨ＢＣ１，ＢＣ１０，ＢＣ１００を１つずつ収納するための収納溝６２１Ａ，６２２Ａ，６２３Ａが設けてあり、５系硬貨繰上棒金用トレイユニット６２０Ｂには、３種類の棒状硬貨ＢＣ５，ＢＣ５０，ＢＣ５００を１つずつ収納するための収納溝６２１Ｂ，６２２Ｂ，６２３Ｂが設けてある。個々の収納溝６２１Ａ，６２２Ａ，６２３Ａ，６２１Ｂ，６２２Ｂ，６２３Ｂは、収納対象となる棒状硬貨ＢＣ１，ＢＣ１０，ＢＣ１００，ＢＣ５，ＢＣ５０，ＢＣ５００を収納することのできる大きさに形成した半円柱状の凹部であり、繰上棒金用トレイユニット６２０Ａ，６２０Ｂの奥行き方向に沿って互いにほぼ平行となるように配置してある。
【００３０】
これら混合棒金用トレイユニット６１０Ａ，６１０Ｂ，６１０Ｃ及び繰上棒金用トレイユニット６２０Ａ，６２０Ｂには、図６に示すように、それぞれの下面に金種識別制御基板７０が支持させてある。金種識別制御基板７０は、図には明示していないが、それぞれの収納溝６１１Ａ，６１１Ｂ，６１１Ｃ，６１２Ａ，６１２Ｂ，６１２Ｃ，６２１Ａ，６２２Ａ，６２３Ａ，６２１Ｂ，６２２Ｂ，６２３Ｂに対して対応する棒状硬貨ＢＣ１，ＢＣ５，ＢＣ１０，ＢＣ５０，ＢＣ１００，ＢＣ５００が収納されているか否かを検出するとともに、収納された棒状硬貨ＢＣ１，ＢＣ５，ＢＣ１０，ＢＣ５０，ＢＣ１００，ＢＣ５００の金種を識別するための磁気コイルや光学センサ等の硬貨識別手段を実装したものである。また、金種識別制御基板７０には、自身の識別情報を出力するための識別情報出力手段も実装してある。
【００３１】
バラ硬貨用トレイユニット６３０は、図５の（ｆ）に示すように、棒状硬貨ＢＣ１，ＢＣ５，ＢＣ１０，ＢＣ５０，ＢＣ１００，ＢＣ５００の包装を解いて個別となった硬貨や釣銭機１で識別できなかった硬貨を収納するためのもので、その上面にバラ硬貨を任意の姿勢で収納できる凹部６３１を有している。汎用収納トレイユニット６４０は、図５の（ｇ）に示すように、上述した硬貨以外の収納物、例えば紙幣、商品券等の紙葉類やハンコ等の小物を収納するためのもので、その上面にバラ硬貨用トレイユニット６３０よりも大きな紙葉収納凹部６４１を有している。
【００３２】
またこれらのトレイユニット６１０，６２０，６３０，６４０には、図６及び図７に示すように、それぞれの四隅部に弾性係合片８０が設けてある。弾性係合片８０は、個々のトレイユニット６１０，６２０，６３０，６４０の周囲に位置する平板部の裏面から下方に向けて突出したもので、個々の突出端部に側方に突出した爪部８１を有している。図には明示していないが、混合棒金用トレイユニット６１０Ａ，６１０Ｂ，６１０Ｃ、繰上棒金用トレイユニット６２０Ａ，６２０Ｂ、バラ硬貨用トレイユニット６３０については、互いに共通となる位置に弾性係合片８０が設けてあり、汎用収納トレイユニット６４０については、混合棒金用トレイユニット６１０Ａ，６１０Ｂ，６１０Ｃを２つ横に並べた場合に四隅部となる位置の弾性係合片８０と共通となる位置に弾性係合片８０が設けてある。
【００３３】
上記のような構成を有する複数種類のトレイユニット６１０，６２０，６３０，６４０は、図７に示すように、連結具９０によって縦横に連結することによって収納トレイ６０を構成し、収納箱１２の上面に設置される。連結具９０は、トレイユニット６１０，６２０，６３０，６４０に設けた弾性係合片８０を挿通させる係合孔（図示せず）を有し、係合孔に弾性係合片８０を挿通させることによって爪部８１を係合させ、隣設する２つのトレイユニット６１０，６２０，６３０，６４０を着脱可能に連結するものである。収納箱１２の上面に設置された収納トレイ６０は、収納箱１２との間の適宜箇所にネジ（図示せず）を螺合させることにより、収納箱１２からの脱落が阻止された状態となる。
【００３４】
図には明示していないが、収納箱１２に対して混合棒金用トレイユニット６１０Ａ，６１０Ｂ，６１０Ｃもしくは繰上棒金用トレイユニット６２０Ａ，６２０Ｂが設置された場合には、それぞれの金種識別制御基板７０が制御ボックス５０に収容した主制御ユニットと接続された状態となり、金種識別制御基板７０に実装した硬貨識別手段や識別情報出力手段から主制御ユニットに対して出力信号が与えられることになる。
【００３５】
ここで、縦横に連結するトレイユニット６１０，６２０，６３０，６４０の種類は任意であり、硬貨収納装置１０を設置する店舗の要求に応じて適宜選択すれば良い。但し、本実施の形態の場合には、連結したトレイユニット６１０，６２０，６３０，６４０の左右幅方向寸法の合計が手前２列は３×ｍ以下、奥方の１列は２×ｍ以下であり、奥行き寸法の合計が３×ｎ以下となるように選択する必要がある。
【００３６】
例えば、販売する商品の価格が１円単位で設定された店舗では、釣銭も１円単位となるため、１円硬貨や５円硬貨を含めたすべての種類の硬貨を用意しておく必要がある。従って、この店舗に設置する硬貨収納装置１０としては、図８の（ａ）に示すように、１桁硬貨混合棒金用トレイユニット６１０Ａ、２桁硬貨混合棒金用トレイユニット６１０Ｂ、３桁硬貨混合棒金用トレイユニット６１０Ｃのすべてを含むように収納トレイ６０を構成し、これを収納箱１２の上面にセットすれば、収納箱１２を装置本体１１から引き出すことで釣銭機１に必要となるすべての硬貨の補充を行うことが可能となる。
【００３７】
しかも、１円から９円までの釣銭を最小枚数で各一回ずつ支払う場合に必要な硬貨の組み合わせとしては、５円硬貨が５枚必要となるのに対して１円硬貨は４倍の２０枚必要となる。具体的に説明すると、釣銭が１円の場合は１円硬貨１枚、２円の場合は１円硬貨２枚、３円の場合は１円硬貨３枚、４円の場合は１円硬貨４枚、５円の場合は５円硬貨１枚、６円の場合は５円硬貨１枚と１円硬貨１枚、７円の場合は５円硬貨１枚と１円硬貨２枚、８円の場合は５円硬貨１枚と１円硬貨３枚、９円の場合は５円硬貨１枚と１円硬貨４枚となるため、単純に合計すれば、１円から９円までの釣銭を最小枚数で支払う場合に５円硬貨５枚と１円硬貨２０枚が必要となる。１０円硬貨と５０円硬貨、１００円硬貨と５００円硬貨についても同様である。従って、１つの混合棒金用トレイユニット６１０Ａ，６１０Ｂ，６１０Ｃに収納した１系硬貨の枚数及び５系硬貨の枚数が実際の使用頻度に応じたものとなり、同じ桁の１系硬貨と５系硬貨との補充タイミングが同じになる等、硬貨収納装置１０に対する棒金の補充作業を減少させることができるようになる。
【００３８】
一方、販売する商品の価格が１０円単位で設定された店舗では、客から受け取る金種が１円硬貨や５円硬貨の場合はあるが、釣銭として１円硬貨及び５円硬貨を準備する必要がない。従って、この店舗に設置する硬貨収納装置１０としては、図８の（ｂ）に示すように、２桁硬貨混合棒金用トレイユニット６１０Ｂ、３桁硬貨混合棒金用トレイユニット６１０Ｃを含むように収納トレイ６０を構成し、これを収納箱１２の上面にセットすれば、必要となるすべての硬貨の補充を行うことが可能となる。１桁硬貨混合棒金用トレイユニット６１０Ａに換えてバラ硬貨用トレイユニット６３０や汎用収納トレイユニット６４０を連結させて収納トレイ６０を構成すれば、硬貨以外の紙幣、商品券等の紙葉類やハンコ等の小物を収納することも可能となり、１桁硬貨混合棒金用トレイユニット６１０Ａが設けられた場合にデッドスペースとなる硬貨収納装置１０の内部を有効に利用することができるようになる。
【００３９】
また、１系硬貨の使用頻度が高い店舗においては、例えば図９の（ａ）に示すように、１系硬貨繰上棒金用トレイユニット６２０Ａを多く含めて収納トレイ６０を構成し、また、５系硬貨の使用頻度が高い店舗においては、例えば図９の（ｂ）に示すように、５系硬貨繰上棒金用トレイユニット６２０Ｂを多く含めて収納トレイ６０を構成すれば、同様の作用効果を奏することができる。
【００４０】
以上説明したように、上述の硬貨収納装置１０によれば、収納トレイ６０を複数のトレイユニット６１０，６２０，６３０，６４０の組み合わせによって構成するとともに、個々のトレイユニット６１０，６２０，６３０，６４０を収納箱１２に対して着脱可能に配設しているため、トレイユニット６１０，６２０，６３０，６４０の種類を適宜交換することで、店舗の様々な要求に応じて棒状硬貨ＢＣ１，ＢＣ５，ＢＣ１０，ＢＣ５０，ＢＣ１００，ＢＣ５００を収納することが可能となる。この場合、交換しない部分については、部品を共用化することができるため、製造コストが著しく増大する事態を招来することもない。しかも、同じ桁の棒状硬貨ＢＣ１，ＢＣ５，ＢＣ１０，ＢＣ５０，ＢＣ１００，ＢＣ５００を収納する１系硬貨収納溝６１１Ａ，６１１Ｂ，６１１Ｃと５系硬貨収納溝６１２Ａ，６１２Ｂ，６１２Ｃとを有した混合棒金用トレイユニット６１０Ａ，６１０Ｂ，６１０Ｃを含むように収納トレイ６０を構成しているため、１系硬貨と５系硬貨の補充タイミングが同じになる等、効率良く釣銭を準備することができ、硬貨収納装置１０に対する棒金の補充作業を減少させることが可能になる等の作用効果を奏する。
【００４１】
尚、上述した実施の形態では、トレイユニット６１０，６２０，６３０，６４０として長方形のものを例示しているが、図１０に示す収納箱１２′のように、正方形となるようにトレイユニット６１０Ａ′，６１０Ｂ′，６１０Ｃ′を構成することも可能である。トレイユニット６１０Ａ′，６１０Ｂ′，６１０Ｃ′を正方形に構成した場合には、収納溝６１１Ａ，６１１Ｂ，６１１Ｃ，６１２Ａ，６１２Ｂ，６１２Ｃの方向を奥行き方向に沿って配置したり、左右方向に沿って配置したりすることも可能となり、店舗の要求に対してより柔軟に対応することが可能となる。
【００４２】
また、上述した実施の形態では、混合棒金用トレイユニット６１０Ａ，６１０Ｂ，６１０Ｃとして１つの５系硬貨収納溝６１２Ａ，６１２Ｂ，６１２Ｃと４つの１系硬貨収納溝６１１Ａ，６１１Ｂ，６１１Ｃとを並べて設けたものを例示しているが、１つの混合棒金用トレイユニットに設ける収納溝の数や配置は実施の形態のものに限らない。
【００４３】
さらに、上述した実施の形態では、倍数トレイユニットとなる汎用収納トレイユニット６４０として、長辺が基準トレイユニットとなる混合棒金用トレイユニット６１０Ａ，６１０Ｂ，６１０Ｃあるいは繰上棒金用トレイユニット６２０Ａ，６２０Ｂあるいはバラ硬貨用トレイユニット６３０の２倍の長さとなるものを例示しているが、基準トレイユニットの２倍を超えた縦横寸法を有するように倍数トレイユニットを構成しても良い。
【００４４】
また、上述した実施の形態では、収納箱１２に制御ボックス５０を備え、制御ボックス５０を避ける位置に収納トレイ６０を配設するようにしたものを例示しているが、収納箱１２が制御ボックス５０を備えている必要はなく、収納箱の上面全域に収納トレイを設けるようにしても構わない。
【符号の説明】
【００４５】
１      釣銭機
１０      硬貨収納装置
１１      装置本体
１１ａ      前面開口
１２      収納箱
１２ａ      前面プレート
２０      第１ロック機構
２１      係合ロッド
２２      フック部材
２３      電磁ソレノイド
３０      第２ロック機構
３１      鍵穴
３２      鍵
４０      緩衝機構
４１      受部
４２      ダンパ
４３      バネ
５０      制御ボックス
６０      収納トレイ
７０      金種識別制御基板
８０      弾性係合片
８１      爪部
９０      連結具
６１０      混合棒金用トレイユニット
６１０Ａ      １桁硬貨混合棒金用トレイユニット
６１０Ｂ      ２桁硬貨混合棒金用トレイユニット
６１０Ｃ      ３桁硬貨混合棒金用トレイユニット
６１１Ａ，６１１Ｂ，６１１Ｃ      １系硬貨収納溝
６１２Ａ，６１２Ｂ，６１２Ｃ      ５系硬貨収納溝
６２０      繰上棒金用トレイユニット
６２０Ａ      １系硬貨繰上棒金用トレイユニット
６２０Ｂ      ５系硬貨繰上棒金用トレイユニット
６２１Ａ，６２２Ａ，６２３Ａ，６２１Ｂ，６２２Ｂ，６２３Ｂ      収納溝
６３０      バラ硬貨用トレイユニット
６３１      凹部
６４０      汎用収納トレイユニット
６４１      紙葉収納凹部
ＢＣ１，ＢＣ１０，ＢＣ１００，ＢＣ５，ＢＣ５０，ＢＣ５００      棒状硬貨
【図１】
2014178747.tif 000003
【図２】
2014178747.tif 000004
【図３】
2014178747.tif 000005
【図４】
2014178747.tif 000006
【図５】
2014178747.tif 000007
【図６】
2014178747.tif 000008
【図７】
2014178747.tif 000009
【図８】
2014178747.tif 000010
【図９】
2014178747.tif 000011
【図１０】
2014178747.tif 000012